(57)【要約】【課題】プレートを床に接着する必要がなく、容易強固に連結され、かつ、必要なときるは容易に連結を解除でき、使用中に隣接する敷物プレート間に隙間ができず、従って異物が挟まったり、連結が外れるおそれがない、敷物用プレートと連結用シールとよりなる敷物部材を提供する。【解決手段】プレートの両面のいずれか一方または両面を、雌雄いずれかの面ファスナーで覆ってなる敷物用プレート３と、敷物用プレート３の面ファスナーの雌雄と反対の雌雄の面ファスナーを両面のいずれか一方または両面に設けた連結用シール４とで敷物部材を構成し、複数の敷物用プレート３を隣接して並べ、その連接部に連結用シール４を貼って敷物用プレート３を連結することを可能とする。【選択図】        図２
2004321432.tif 000002
【特許請求の範囲】
【請求項１】
プレートの両面のいずれか一方の面または両面を雌雄いずれかの面ファスナーで覆ってなる敷物用プレートと、
前記敷物用プレートの面ファスナーの雌雄と反対の雌雄の面ファスナーを両面のいずれか一方の面または両面に設けてなる連結用シールと、
よりなる敷物部材。
【請求項２】
敷物用プレートの周縁壁が、平面視で、突部と、その突部と同形の突部を嵌合できる凹部とを有することを特徴とする請求項１に記載の敷物部材。
【発明の詳細な説明】
【０００１】
【発明の属する技術分野】
この発明は、容易かつ強固に連結でき、かつ、容易に連結を解放できる敷物用プレートと連結シールに関するものである。
【０００２】
【従来の技術】
従来プレートを隣接して並べて敷いた場合に、使用中に隣接するプレート間に隙間が生じ、ゴミが溜まったり、小さい物品が嵌まるおそれがある。
そこで特許文献１に記載されているようにプレートの底面に両面接着テープを取り付けて床に接着固定している。
また、プレートの周縁に凹凸を設けて隣接するプレートを互いの凹凸に嵌合させて連結している。
【０００３】
【特許文献１】
実開平６−４４４８１
（０００２  従来の技術）
【０００４】
従来の、両面テープで床に接着する方法では、床に固定され、一部のプレートの取替えや、全体の敷場所の移動の場合に、いちいちプレートと両面テープを剥がさなければならない。
プレートの周縁に凹凸を設け嵌合して連結するものは、プレートが弾性変形可能な場合には、それらの上を歩行しているうちに隣接するプレート間に隙間が生じ、異物が挟まり、遂には連結が外れるおそれがある。
【０００５】
この発明は、プレートを床に接着する必要なく、容易強固に連結され、かつ、必要な場合には容易に連結を解除でき、連結隙間が生じないで、異物が挟まったり、連結が外れるおそれのない、敷物用プレートと連結用シールとよりなる敷物部材を提供することを目的とする。
【０００６】
【課題を解決するための手段】
プレートの両面のいずれか一方の面または両面を雌雄いずれかの面ファスナーで覆ってなる敷物用プレートと、
前記敷物用プレートの面ファスナーの雌雄と反対の雌雄の面ファスナーを両面のいずれか一方の面または両面に設けてなる連結用シールと、
で敷物部材を構成し、複数の敷物用プレートを隣接して並べ、その隣接部に連結用シールを貼って敷物用プレートを連結することを可能とする。
【０００７】
敷物用プレートを、その周縁壁に、平面視で、突部と、その突部と同形の突部を嵌合できる凹部とを設けたものとしてもよい。
【０００８】
【発明の実施の形態】
プレート１の表面を雌雄いずれかの面ファスナー２で覆って敷物用プレート３を形成する。面ファスナー２は接着して取り付けるのが好ましいが、他の方法、例えば縫い付けで取り付けてもよい。
面ファスナー２をプレート１の両面に取り付けてもよい。両面の面ファスナーは、同一の雌雄のものでも、または、異なった雌雄のものでもよい。
【０００９】
プレート１は材料を問わないが、マットとして使用するものは、ゴム、プラスチック等の弾性板が好ましい。また、持ち運び等移動し易くするためには発泡樹脂板を用いるのが好ましい。
【００１０】
プレート１の平面形状は、順次隣接連結して敷ける形状であれば、いずれの形状でもよいが、平面形状が正方形または矩形のものが連結し易く好ましい。
【００１１】
敷物用プレート３を順次周縁を接して並べ、その隣接縁または隣接交叉点を覆って、表面に敷物用プレート３の面ファスナー２と雌雄の異なる面ファスナーで覆った連結用シール４を貼り、固定する。
敷物用プレート３は、図２に示すように、四方へ並べてもよく、図３に示すように横方向または縦方向に並べてもよい。
【００１２】
連結用シール４は片面または両面を面ファスナーで覆う。
両面を面ファスナーで覆う場合には、両面の面ファスナーの雌雄は同一でも、または、異なったものでもよい。また、連結用シール４の形状は限定しない。
【００１３】
複数の敷物用プレート３を連結して敷いたものは、連結の状態を維持したままでずらして敷く位置を変更することができる。
また、上記複数の敷物用プレート３の内、いずれかを取り替えたいとき、または、全部を撤去したいときは、必要な箇所の連結用シール４を取り外せばよい。
【００１４】
敷物用プレートの連結をより強固にするためには、プレートの周縁壁を凹凸縁とし、他のプレートの凹凸縁と嵌合できるようにするのが好ましい。
【００１５】
図４に示すものは、プレートの周縁壁に、平面視で鳩尾状の突部５と、突部５と同形の突部を嵌合できる鳩尾状の凹部６とを設け、表裏の面の一方または双方を面ファスナーで覆って敷物用プレート７を形成したものである。
両面を覆う面ファスナーは雌雄同一でもまたは異なるものでもよい。
突部５と凹部６の形状は図に示すものに限定しない。
【００１６】
この敷物用プレート７の突部５を隣接する敷物用プレート７の凹部６に嵌合させて、図５に示すように四方へ、または図６に示すように縦方向に或いは横方向に連結し、結合交叉点や結合縁を連結用シール４で押さえて固定する。
【００１７】
この敷物用プレート７の連結方法は一般に「あり（蟻）継ぎ」と言われているもので、連結が強固である。それでもプレートが弾性体である場合には、敷物用プレート７の上を歩行したり重い物を置くと、弾性変形で連結部に隙間を生ずる場合があるが、連結用シール４がその隙間を生ずるのを防ぐ。従って、使用中に隣接する敷物用プレート７間にものが挟まったり、連結が外れるおそれがない。
【００１８】
先の実施の形態の場合と同様に、連結した状態を維持したままずらして位置を変更することができる。いずれかの敷物用プレート７を取り替えたいとき、または、全部を撤去したいときは、必要な箇所の連結用シール４を取り外せばよい。
【００１９】
【発明の効果】
この発明に係る敷物部材は、敷物用プレートと連結用シールで強固に連結して連結部に隙間が生ぜず、従って、連接する敷物用プレート間に異物が挟まったり、または、連結が外れることがなく、連結および分解が容易で、取り替え、運搬、収納が容易であり、また連結したまま位置をずらすことも容易である。
【図面の簡単な説明】
【図１】敷物用プレートの斜視図である。
【図２】連結した敷物用プレートの平面図である。
【図３】他の連結状態の敷物用プレートの平面図である。
【図４】他の実施の形態の敷物用プレートの平面図である。
【図５】連結した他の実施の形態の敷物用プレートの平面図である。
【図６】他の連結状態の他の実施の形態の敷物用プレートの平面図である。
【符号の説明】
１  プレート
２  面ファスナー
３  敷物用プレート
４  連結用シール
５  突部
６  凹部
７  敷物用プレート
【図１】
2004321432.tif 000003
【図２】
2004321432.tif 000004
【図３】
2004321432.tif 000005
【図４】
2004321432.tif 000006
【図５】
2004321432.tif 000007
【図６】
2004321432.tif 000008